(57)【要約】【課題】ヒンジ周辺の耐久性を維持できる画像読取装置を提供する。【解決手段】ヒンジ１００は、開閉部９に取り付けられて揺動軸心Ｘ９を構成する取付部１０５と、取付部１０５を支持し、第１方向の一端側、及び第１方向の他端側に移動可能に収容部１５０に挿通される支持部１０１とを含む。画像読取装置１は、支持部１０１及び収容部１５０の一方に設けられ、支持部１０１及び収容部１５０の他方側に向かって突出する突出部１６０と、支持部１０１及び収容部１５０の他方に設けられ、支持部１０１が最も第１方向の一端側に位置する初期位置に対して第１方向の他端側に移動した位置である第１位置で突出部１６０に当接可能な第１当接部１１０Ｌ、１１０Ｒと、支持部１０１及び収容部１５０の他方に設けられ、支持部１０１が第１位置からさらに第１方向の他端側に移動した位置である第２位置で突出部１６０に当接可能な第２当接部１２０とを備える。【選択図】図８
2015216509.tif 000002
【特許請求の範囲】
【請求項１】
原稿を支持する原稿支持面が形成された本体部と、
前記本体部内に設けられ、前記原稿支持面に支持された原稿の画像を読み取る読取部と、
所定の揺動軸心周りで揺動可能に前記本体部に支持され、前記原稿支持面を覆う閉鎖位置と、前記原稿支持面を露出させる開放位置とに変位可能な開閉部と、
前記本体部に設けられ、前記原稿支持面に略直交する方向を第１方向とした場合、前記閉鎖位置にある前記開閉部から離れる方向である前記第１方向の一端側に向かって凹む収容部と、
前記本体部と前記開閉部との間に設けられたヒンジと、を備え、
前記ヒンジは、前記開閉部に取り付けられて前記揺動軸心を構成する取付部と、前記取付部を支持し、前記第１方向の一端側、及び前記第１方向の他端側に移動可能に前記収容部に挿通される支持部と、を含む画像読取装置であって、
前記支持部及び前記収容部の一方に設けられ、前記支持部及び前記収容部の他方側に向かって突出する突出部と、
前記支持部及び前記収容部の他方に設けられ、前記支持部が最も前記第１方向の一端側に位置する初期位置に対して前記第１方向の他端側に移動した位置である第１位置で、前記突出部に当接可能な第１当接部と、
前記支持部及び前記収容部の他方に設けられ、前記支持部が前記第１位置からさらに前記第１方向の他端側に移動した位置である第２位置で、前記突出部に当接可能な第２当接部と、を備えていることを特徴とする画像読取装置。
【請求項２】
前記支持部及び前記収容部の他方は、前記支持部及び前記収容部の一方に対向する対向面を含み、
前記第１当接部は、前記対向面に形成されている請求項１記載の画像読取装置。
【請求項３】
前記第１当接部は、前記支持部が前記初期位置にある状態で、前記第１方向から見て前記突出部と重なる第１傾斜面を含み、
前記第１傾斜面は、前記第２当接部側に接近するにつれて、前記突出部に接近するように傾斜し、
前記突出部は、前記第１当接部から離間する方向に弾性変形可能とされている請求項１又は２記載の画像読取装置。
【請求項４】
前記第１当接部は、前記第１傾斜面に対して、前記第２当接部側で連続する第２傾斜面を含み、
前記第２傾斜面は、前記第２当接部側に接近するにつれて、前記突出部から離間するように傾斜している請求項３記載の画像読取装置。
【請求項５】
前記第１方向に対する前記第２傾斜面の第２傾斜角度は、前記第１方向に対する前記第１傾斜面の第１傾斜角度よりも小さく設定されている請求項４記載の画像読取装置。
【請求項６】
前記第２傾斜面における前記第１傾斜面とは反対側の端部は、前記支持部が前記第２位置にある状態で、前記突出部の近傍に位置している請求項４又は５記載の画像読取装置。
【請求項７】
前記突出部は、前記第１方向に延びる突出部本体と、
前記突出部本体のうち前記第２当接部に近い位置にある根元部と前記支持部及び前記収容部の一方とを弾性変形可能に接続する弾性変形部と、
前記突出部本体のうち前記第２当接部から遠い位置にある先端部から前記支持部及び前記収容部の他方に向かって突出する凸部と、
前記突出部本体から前記支持部及び前記収容部の他方に向かって突出し、かつ前記第１方向に延びて前記凸部に接続するリブと、を含んでいる請求項１乃至６のいずれか１項記載の画像読取装置。
【請求項８】
前記第１当接部は、前記揺動軸心と平行な第２方向において間隔を有して配置され、前記第１方向に延びる一対の壁であり、
前記リブは、前記支持部が少なくとも前記初期位置及び前記第１位置にある状態で、前記一対の壁によって前記第２方向から挟まれる部分を含んでいる請求項７記載の画像読取装置。
【請求項９】
前記第２当接部には、前記リブから離間するように凹み、前記第２方向において間隔を有して対向する一対の内壁面を有する凹部が形成され、
前記リブは、前記支持部が少なくとも前記第２位置にある状態で、前記一対の内壁面によって前記第２方向から挟まれる部分を含んでいる請求項８記載の画像読取装置。
【請求項１０】
前記第２当接部の前記突出部側を向く先端は、前記第１当接部の前記突出部側を向く先端よりも、前記突出部に接近している請求項１乃至９のいずれか１項記載の画像読取装置。
【請求項１１】
前記第２当接部の前記先端は、前記突出部に接近するように前記第１方向に屈曲し、
前記突出部の前記第２当接部側を向く先端は、前記第２当接部に接近するように前記第１方向に屈曲している請求項１０記載の画像読取装置。
【発明の詳細な説明】
【技術分野】
【０００１】
本発明は画像読取装置に関する。
【背景技術】
【０００２】
特許文献１に従来の画像読取装置の例が開示されている。この画像読取装置は、本体部と読取部と開閉部と収容部とヒンジとを備えている。
【０００３】
本体部には、原稿を支持する原稿支持面が形成されている。読取部は、本体部内に設けられている。読取部は、原稿支持面に支持された原稿の画像を読み取る。開閉部は、所定の揺動軸心周りで揺動可能に本体部に支持されている。開閉部は、原稿支持面を覆う閉鎖位置と、原稿支持面を露出させる開放位置とに変位可能である。収容部は、本体部に設けられている。収容部は、閉鎖位置にある開閉部からは離れる方向、すなわち、下側に向かって凹んでいる。ヒンジは、本体部と開閉部との間に設けられている。ヒンジは、取付部と支持部とを含んでいる。
【０００４】
取付部は、開閉部に取り付けられて揺動軸心を構成している。支持部は、取付部を支持し、上側及び下側に移動可能に収容部に挿通されている。
【０００５】
この画像読取装置は、突出部と当接部とをさらに備えている。突出部は、支持部に設けられている。突出部は、収容部側に向かって突出している。当接部は、収容部に設けられている。当接部は、支持部が最も下側に位置する初期位置に対して上側にある程度移動した位置で、突出部に当接可能である。
【０００６】
この画像読取装置では、書籍等の厚みのある原稿が原稿支持面に支持される場合において、開閉部が閉鎖位置に変位すると、ヒンジの支持部が収容部内で上側に移動して、その原稿の厚みに応じて揺動軸心を上側に移動させる。その結果、開閉部が好適に原稿支持面を覆うことができる。この際、この画像読取装置では、支持部が初期位置に対して上側にある程度移動した位置で突出部に当接することで、支持部が上側に移動し過ぎて収容部から抜け出すことを抑制する。
【先行技術文献】
【特許文献】
【０００７】
【特許文献１】特開２００７−８８６８１号公報
【発明の概要】
【発明が解決しようとする課題】
【０００８】
しかし、上記従来の画像読取装置では、開閉部が勢いよく開閉操作されることによって支持部が収容部内で急激に上側に移動する場合、突出部が当接部に勢いよく衝突する。また、揺動軸心を原稿支持面に対して傾斜させるように開閉部が開放される場合、支持部がこじられながら収容部内を上側に移動する。これらの場合、突出部又は当接部に作用する衝撃や負荷が大きくなり易く、突出部又は当接部が破損するおそれがある。
【０００９】
本発明は、上記従来の実情に鑑みてなされたものであって、ヒンジ周辺の耐久性を維持することが可能な画像読取装置を提供することを目的とする。
【課題を解決するための手段】
【００１０】
本発明の画像読取装置は、原稿を支持する原稿支持面が形成された本体部と、
前記本体部内に設けられ、前記原稿支持面に支持された原稿の画像を読み取る読取部と、
所定の揺動軸心周りで揺動可能に前記本体部に支持され、前記原稿支持面を覆う閉鎖位置と、前記原稿支持面を露出させる開放位置とに変位可能な開閉部と、
前記本体部に設けられ、前記原稿支持面に略直交する方向を第１方向とした場合、前記閉鎖位置にある前記開閉部から離れる方向である前記第１方向の一端側に向かって凹む収容部と、
前記本体部と前記開閉部との間に設けられたヒンジと、を備え、
前記ヒンジは、前記開閉部に取り付けられて前記揺動軸心を構成する取付部と、前記取付部を支持し、前記第１方向の一端側、及び前記第１方向の他端側に移動可能に前記収容部に挿通される支持部と、を含む画像読取装置であって、
前記支持部及び前記収容部の一方に設けられ、前記支持部及び前記収容部の他方側に向かって突出する突出部と、
前記支持部及び前記収容部の他方に設けられ、前記支持部が最も前記第１方向の一端側に位置する初期位置に対して前記第１方向の他端側に移動した位置である第１位置で、前記突出部に当接可能な第１当接部と、
前記支持部及び前記収容部の他方に設けられ、前記支持部が前記第１位置からさらに前記第１方向の他端側に移動した位置である第２位置で、前記突出部に当接可能な第２当接部と、を備えていることを特徴とする。
【００１１】
本発明の画像読取装置では、開閉部が勢いよく開閉操作されることによって支持部が収容部内で急激に第１方向の他端側に移動する場合や、揺動軸心を原稿支持面に対して傾斜させるように開閉部が開放される場合において、支持部が初期位置から第１位置に移動すると、第１当接部が突出部に当接し、支持部に抵抗が作用する。このため、支持部を第１方向の他端側に移動させる際の勢いや、支持部が収容部内においてこじられる程度が抑制される。そして、支持部が第１位置からさらに第２位置まで移動すると、第２当接部が突出部に当接し、支持部に再度抵抗が作用する。このため、支持部が第１方向の他端側に移動し過ぎて収容部から抜け出すことが抑制される。第２当接部が突出部に当接する際の衝撃は、それより先に第１当接部が突出部に当接することで、緩和される。その結果、この画像読取装置では、突出部又は第２当接部に作用する衝撃や負荷を小さくできるので、突出部又は第２当接部が破損し難い。
【００１２】
したがって、本発明の画像読取装置では、ヒンジ周辺の耐久性を維持できる。
【００１３】
支持部及び収容部の他方は、支持部及び収容部の一方に対向する対向面を含んでいることが望ましい。そして、第１当接部は、対向面に形成されていることが望ましい。この構成によれば、第１当接部が対向面に形成されることで、突出部に対して第１当接部を精度よく配置できる。
【００１４】
第１当接部は、支持部が初期位置にある状態で、第１方向から見て突出部と重なる第１傾斜面を含んでいることが望ましい。第１傾斜面は、第２当接部側に接近するにつれて、突出部に接近するように傾斜していることが望ましい。そして、突出部は、第１当接部から離間する方向に弾性変形可能とされていることが望ましい。
【００１５】
この構成によれば、支持部が初期位置から第１位置に移動すると、第１当接部の第１傾斜面が突出部に確実に当接する。また、支持部が第１位置から第２位置に向けて移動する際、突出部が第１傾斜面に弾性変形しつつ摺接することによって、支持部に適度な抵抗を作用させつつ、支持部の移動を許容する。このため、この画像読取装置では、支持部を第１方向の他端側に移動させる際の勢いや、支持部が収容部内においてこじられる程度が確実に抑制される。
【００１６】
第１当接部は、第１傾斜面に対して、第２当接部側で連続する第２傾斜面を含んでいることが望ましい。そして、第２傾斜面は、第２当接部側に接近するにつれて、突出部から離間するように傾斜していることが望ましい。
【００１７】
この構成によれば、支持部が第１位置から第２位置に向けて移動する際、突出部が第１傾斜面に弾性変形しつつ摺接し、さらに第２傾斜面に弾性変形しつつ摺接することによって、支持部に適度な抵抗を継続的に作用させつつ、支持部の移動を許容する。このため、この画像読取装置では、支持部を第１方向の他端側に移動させる際の勢いや、支持部が収容部内においてこじられる程度が一層確実に抑制される。また、支持部が第２位置から初期位置に復帰する際、突出部が第２傾斜面に弾性変形しつつ摺接し、さらに第１傾斜面に弾性変形しつつ摺接する。つまり、支持部を第１方向の一端側に移動させる際、突出部が支持部の第１傾斜面及び第２傾斜面によって案内される。このため、この画像読取装置では、支持部をスムーズに初期位置に復帰させることができる。
【００１８】
第１方向に対する第２傾斜面の第２傾斜角度は、第１方向に対する第１傾斜面の第１傾斜角度よりも小さく設定されていることが望ましい。この構成によれば、突出部が第２傾斜面に摺接する際に支持部に作用する抵抗を緩やかに変化させることができる。
【００１９】
第２傾斜面における第１傾斜面とは反対側の端部は、支持部が第２位置にある状態で、突出部の近傍に位置していることが望ましい。この構成によれば、支持部が第２位置に移動して、第２当接部が突出部に当接する直前まで、支持部に適度な抵抗を継続的に作用させることができる。
【００２０】
突出部は、第１方向に延びる突出部本体と、突出部本体のうち第２当接部に近い位置にある根元部と支持部及び収容部の一方とを弾性変形可能に接続する弾性変形部と、突出部本体のうち第２当接部から遠い位置にある先端部から支持部及び収容部の他方に向かって突出する凸部と、突出部本体から支持部及び収容部の他方に向かって突出し、かつ第１方向に延びて凸部に接続するリブと、を含んでいることが望ましい。この構成によれば、突出部本体から突出して凸部に接続するリブによって、凸部と突出部本体との接続部分が補強されるので、凸部と突出部本体との接続部分が破損し難い。
【００２１】
第１当接部は、揺動軸心と平行な第２方向において間隔を有して配置され、第１方向に延びる一対の壁であることが望ましい。そして、リブは、支持部が少なくとも初期位置及び第１位置にある状態で、一対の壁によって第２方向から挟まれる部分を含んでいることが望ましい。この構成によれば、支持部が少なくとも初期位置及び第１位置にある状態で、一対の壁とリブとにより、開閉部の第２方向の位置ずれを抑制できる。
【００２２】
第２当接部には、リブから離間するように凹み、第２方向において間隔を有して対向する一対の内壁面を有する凹部が形成されていることが望ましい。そして、リブは、支持部が少なくとも第２位置にある状態で、一対の内壁面によって第２方向から挟まれる部分を含んでいることが望ましい。この構成によれば、支持部が第２位置に移動しても、凹部の一対の内壁面とリブとにより、開閉部の第２方向の位置ずれを抑制できる。
【００２３】
第２当接部の突出部側を向く先端は、第１当接部の突出部側を向く先端よりも、突出部に接近していることが望ましい。この構成によれば、第２当接部を突出部に確実に当接させることができる。このため、この画像読取装置では、支持部が第１方向の他端側に移動し過ぎて収容部から抜け出すことが確実に抑制される。
【００２４】
第２当接部の先端は、突出部に接近するように第１方向に屈曲していることが望ましい。また、突出部の第２当接部側を向く先端は、第２当接部に接近するように第１方向に屈曲していることが望ましい。この構成によれば、第２当接部が突出部に当接する際、双方が離間しそうになっても、第２当接部の屈曲する先端と突出部の屈曲する先端とが係合することによって、双方の離間を抑制できる。このため、この画像読取装置では、支持部が第１方向の他端側に移動し過ぎて収容部から抜け出すことが確実に抑制される。
【図面の簡単な説明】
【００２５】
【図１】実施例の画像読取装置の斜視図である。
【図２】実施例の画像読取装置の模式正面図である。
【図３】実施例の画像読取装置の模式部分断面図である。
【図４】実施例の画像読取装置に係り、本体部、開閉部、収容部及びヒンジの位置関係を示す模式後面図である。
【図５】実施例の画像読取装置に係り、収容部及びヒンジを示す部分斜視図である。
【図６】実施例の画像読取装置に係り、収容部を示す部分斜視図である。
【図７】実施例の画像読取装置に係り、ヒンジ、第１当接部及び第２当接部を示す正面図である。
【図８】実施例の画像読取装置に係り、ヒンジの支持部が初期位置にある状態で、突出部、第１当接部及び第２当接部について、それらの一部を断面で示す部分斜視図である。
【図９】実施例の画像読取装置に係り、（ａ）はヒンジの支持部が初期位置にある状態を示す部分断面図であり、（ｂ）はヒンジの支持部が第１位置に移動した状態を示す部分断面図であり、（ｃ）は突出部が第１傾斜面に摺接して弾性変形する状態を示す部分断面図である。
【図１０】実施例の画像読取装置に係り、（ａ）は突出部が第２傾斜面に摺接して弾性変形する状態を示す部分断面図であり、（ｂ）はヒンジの支持部が第２位置に移動した状態を示す部分断面図である。
【図１１】実施例の画像読取装置に係り、ヒンジの支持部が第２位置にある状態で、突出部、第１当接部及び第２当接部について、それらの一部を断面で示す部分斜視図である。
【図１２】実施例の画像読取装置に係り、図９（ａ）のＡ−Ａ断面を示す部分断面図である。
【図１３】比較例の画像読取装置に係り、揺動軸心を原稿支持面に対して傾斜させるように開閉部が開放される状態を示す模式後面図である。
【発明を実施するための形態】
【００２６】
以下、本発明を具体化した実施例を図面を参照しつつ説明する。
【００２７】
（実施例）
図１に示すように、実施例の画像読取装置１は、本発明の画像読取装置の具体的態様の一例である。図１では、操作パネル８Ｐが設けられた側を装置の前側と規定し、操作パネル８Ｐに向かった場合に左手に来る側を左側と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００２８】
＜全体構成＞
図１〜図３に示すように、画像読取装置１は、本体部８、開閉部９、画像形成ユニット５、読取ユニット３及び搬送部４を備えている。本体部８は、扁平な略箱状体である。図１に示すように、本体部８の前面には、タッチパネル等である操作パネル８Ｐが設けられている。
【００２９】
図２に示すように、画像形成ユニット５は、本体部８内の下側部分に収容されている。画像形成ユニット５は、インクジェット方式又はレーザ方式等によりシートに画像を形成する。読取ユニット３は、本体部８内の上側部分に収容されている。読取ユニット３は、原稿の画像を読み取る際に使用される。搬送部４は、開閉部９に設けられている。搬送部４は、複数枚のシートＳＨを搬送経路Ｐ１に沿って順次搬送しながら、シートＳＨの画像を読取ユニット３に読み取らせる際に使用される。
【００３０】
図３に示すように、本体部８の上面には、第１プラテンガラス８１及び第２プラテンガラス８２が配設されている。第１プラテンガラス８１の上面によって、原稿支持面８１Ａが形成されている。原稿支持面８１Ａは、前後方向及び左右方向に延在している。原稿支持面８１Ａは、静止した状態の原稿の画像を読取ユニット３が読み取る際に、その原稿を下側から支持する。読取対象の原稿には、用紙、ＯＨＰシート等であるシートの他、書籍等が含まれる。第２プラテンガラス８２は、第１プラテンガラス８１の左側に位置して前後方向に細長く延びている。第２プラテンガラス８２の上面によって、読取面８２Ａが形成されている。読取面８２Ａは、搬送部４によって１枚ずつ搬送されるシートＳＨの画像を読取ユニット３が読み取る際に、その搬送されるシートＳＨを下側から案内する。
【００３１】
原稿支持面８１Ａに略直交する上下方向は、本発明の「第１方向」の一例である。上下方向のうち、原稿支持面８１Ａを基準として、閉鎖位置にある開閉部９から離れる方向である下側は、本発明の「第１方向の一端側」の一例である。また、原稿支持面８１Ａを基準として、閉鎖位置にある開閉部９に近づく方向である上側は、本発明の「第１方向の他端側」の一例である。
【００３２】
図１及び図４に示すように、開閉部９は、揺動軸心Ｘ９周りで揺動可能に本体部８に支持されている。揺動軸心Ｘ９は、本体部８の原稿支持面８１Ａよりも後側、かつ上側に位置している。揺動軸心Ｘ９は、原稿支持面８１Ａの左右方向に延びる端縁と略平行に、左右方向に延びている。左右方向は、本発明の「揺動軸心と平行な第２方向」の一例である。
【００３３】
より詳しくは、図４に示すように、画像読取装置１は、左右一対の収容部１５０、１５０と、左右一対のヒンジ１００、１００とを備えている。
【００３４】
各収容部１５０、１５０は、本体部８に設けられている。左側の収容部１５０と右側の収容部１５０とは、同一構成であって、設置場所が異なるだけである。各ヒンジ１００、１００は、開閉部９と本体部８との間に設けられている。左側のヒンジ１００と右側のヒンジ１００とは、同一部品であって、設置場所が異なるだけである。以下の説明では、左側の収容部１５０及びヒンジ１００と、右側の収容部１５０及びヒンジ１００とについて、左右の区別なくまとめて説明する。
【００３５】
図６及び図８等に示すように、収容部１５０は、本体部８の上面を形成する枠体８Ｗのうち、原稿支持面８１Ａよりも後側の部分から下側に向かって凹んでいる。枠体８Ｗは、第１プラテンガラス８１の外周縁を覆う樹脂製の枠状体である。
【００３６】
図７及び図８等に示すように、ヒンジ１００は、取付部１０５と支持部１０１とが一体成形された樹脂製部材である。ブロック形状の取付部１０５には、軸穴１０５Ｈが貫設されている。軸穴１０５Ｈは、左右方向に延びる丸穴の一部が切り欠かれてなる。取付部１０５は、開閉部９に設けられた図示しない軸部が軸穴１０５Ｈに嵌ることにより、開閉部９に取り付けられて揺動軸心Ｘ９を構成する。
【００３７】
支持部１０１は、取付部１０５の下面に接続し、略角柱状をなして下向きに延びている。支持部１０１は、取付部１０５を下側から支持する。支持部１０１は、上側及び下側に移動可能に収容部１５０に挿通されている。図８〜図１１に示すように、支持部１０１が収容部１５０内で上下に移動すれば、取付部１０５及び揺動軸心Ｘ９も上下に移動する。
【００３８】
開閉部９は、図１に実線で示すように、閉じた状態では原稿支持面８１Ａを上方から覆っている。図１に実線で示す開閉部９の位置を閉鎖位置とする。開閉部９は、図１に二点鎖線で示すように、その前端部側が上方かつ後方に変位するように揺動軸心Ｘ９周りで揺動することにより、原稿支持面８１Ａを露出させる。これにより、ユーザは読取対象の原稿を原稿支持面８１Ａに支持させることができる。開閉部９が原稿支持面８１Ａを露出させていれば、その開閉部９の本体部８に対する揺動角度にかかわらず、その開閉部９の位置を開放位置とする。図１に二点鎖線で示す開閉部９の位置は、開放位置の一例である。
【００３９】
開閉部９は、原稿支持面８１Ａに読取対象の原稿が支持された状態で閉鎖位置に移動することにより、その原稿を上側から覆う。原稿が厚い書籍等であれば、図１０及び図１１等に示すように、ヒンジ１００の支持部１０１が揺動軸心Ｘ９とともに収容部１５０内で上側に移動した状態で、開閉部９が閉鎖位置に移動し、その厚い原稿を上側から覆う。
【００４０】
図３に示すように、読取ユニット３は、本体部８内の上側部分に収容された読取センサ３Ｓと、図示しない走査機構とを有している。読取センサ３Ｓは、本発明の「読取部」の一例である。走査機構は、本体部８内において、読取センサ３Ｓを原稿支持面８１Ａ及び読取面８２Ａの下側で左右方向に往復動させる。読取センサ３Ｓが読取面８２Ａの下側で停止する位置は、固定読取位置である。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００４１】
図２及び図３に示すように、搬送部４は、開閉部９に設けられている。搬送部４は、供給部９１と排出部９２とを有している。供給部９１と排出部９２とは、図１に示す閉じた状態のカバー９Ｃを図２に示すように展開することによって、開閉部９の右側部分に形成される。排出部９２は、供給部９１よりも上側に位置する。供給部９１は、搬送部４によって搬送される読取対象のシートＳＨを下側から支持する。排出部９２には、読取部３によって画像が読み取られ、搬送部４によって搬送されたシートＳＨが排出される。
【００４２】
図３に示すように、搬送部４は、開閉部９内でシートＳＨの一面及び他面に当接可能に延びる案内面に囲まれた空間として、搬送経路Ｐ１を規定している。搬送経路Ｐ１は、まず、供給部９１から左側に向かって略水平に延びる部分を含んでいる。次に、搬送経路Ｐ１は、左側に向かって下り傾斜する部分を含んでいる。次に、搬送経路Ｐ１は、読取面８２Ａに沿って左方に短く延びる部分を含んでいる。次に、搬送経路Ｐ１は、上向きにＵターンする部分を含んでいる。最後に、搬送経路Ｐ１は、右側に向かって略水平に延びて、排出部９２に至る部分を含んでいる。
【００４３】
搬送部４は、搬送経路Ｐ１のうち供給部９１に近い位置において、供給ローラ４１と分離ローラ４２と分離パッド４２Ａとを有している。供給ローラ４１は、供給部９１上のシートＳＨを搬送方向の下流側の分離ローラ４２に送り出す。分離ローラ４２は、複数枚のシートＳＨが重なった状態で供給ローラ４１によって搬送されてきた場合には、分離パッド４２Ａと協働して１枚ずつに分離し、搬送方向のさらに下流側に搬送する。
【００４４】
搬送部４は、搬送経路Ｐ１のうち左側に向かって下り傾斜する部分において、第１搬送ローラ４３とピンチローラ４３Ｐとを有している。第１搬送ローラ４３は、ピンチローラ４３Ｐと協働して、シートＳＨを読取面８２Ａに向けて搬送する。
【００４５】
搬送部４は、読取面８２Ａに対して上側から対向する位置に、押圧部材４９を有している。押圧部材４９は、第１搬送ローラ４３側から搬送されてくるシートＳＨを上側から押圧して、読取面８２Ａに接触させる。
【００４６】
搬送部４は、搬送経路Ｐ１において上向きにＵターンする部分において、大径の第２搬送ローラ４４と湾曲ガイド面４４Ｇとピンチローラ４４Ｐ、４４Ｑとを有している。第２搬送ローラ４４の外周面は、搬送経路Ｐ１において上向きにＵターンする部分の内側ガイド面を形成している。湾曲ガイド面４４Ｇは、第２搬送ローラ４４の外周面と所定の間隔を配置されている。湾曲ガイド面４４Ｇは、搬送経路Ｐ１において上向きにＵターンする部分の外側ガイド面を形成している。第２搬送ローラ４４は、ピンチローラ４４Ｐ、４４Ｑと協働して、読取面８２Ａ上を通過したシートＳＨを排出部９２に排出する。
【００４７】
＜画像読取動作＞
この画像読取装置１では、原稿支持面８１Ａに支持された原稿の画像を読み取る場合、読取ユニット３において図示しない走査機構が作動し、読取センサ３Ｓを原稿支持面８１Ａの左端縁の下側から右端縁の下側までの間で左右方向に移動させる。これにより、読取センサ３Ｓは、原稿支持面８１Ａに支持された原稿の画像を読み取る。その後、図示しない走査機構は、読み取りを終えた読取センサ３Ｓを読取ユニット３内における右端側から左端側に移動させ、元の位置に復帰させる。
【００４８】
また、この画像読取装置１では、供給部９１上のシートＳＨの画像を読み取る場合、読取ユニット３において、図示しない走査機構が作動し、読取センサ３Ｓを読取面８２Ａの下側の固定読取位置に停止させる。そして、搬送部４が供給部９１上のシートＳＨを搬送経路Ｐ１に沿って順次搬送すると、そのシートＳＨが読取面８２Ａに接触しながら固定読取位置にある読取センサ３Ｓの上側を通過するので、読取センサ３Ｓは、その通過するシートＳＨの画像を読み取る。搬送部４は、画像が読み取られたシートＳＨを順次排出部９２に搬送し、先に排出部９２に搬送されたシートＳＨの下側に次のシートＳＨを潜り込ませるようにして、それらのシートＳＨを排出部９２に積載する。
【００４９】
＜突出部、第１当接部及び第２当接部の構成＞
実施例の画像読取装置１は、開閉部９の開閉操作時にヒンジ１００の支持部１０１を良好に上下に移動させるため、以下に説明する構成を採用している。
【００５０】
図８及び図９（ａ）は、ヒンジ１００の支持部１０１が収容部１５０内で最も下側に位置する状態を示している。図８及び図９（ａ）に示す支持部１０１の位置を初期位置とする。図９（ｂ）は、ヒンジ１００の支持部１０１が初期位置に対して上側に若干移動した状態を示している。図９（ｂ）に示す支持部１０１の位置を第１位置とする。図１０（ｂ）及び図１１は、ヒンジ１００の支持部１０１が第１位置からさらに上側に移動した状態を示している。図１０（ｂ）及び図１１に示す支持部１０１の位置を第２位置とする。図９（ｃ）及び図１０（ａ）に示す支持部１０１の位置は、第１位置と第２位置との間の位置である。
【００５１】
図５〜図１２に示すように、画像読取装置１は、ヒンジ１００及び収容部１５０に、突出部１６０、第１当接部１１０Ｌ、１１０Ｒ及び第２当接部１２０を備えている。
【００５２】
図６、図８及び図９等に示すように、突出部１６０は、収容部１５０に設けられている。より詳しくは、突出部１６０は、収容部１５０の前側の内壁面１５０Ａ側に位置するように、枠体８Ｗに一体成形されている。突出部１６０は、突出部本体１６１、弾性変形部１６３、凸部１６５及びリブ１６７を含んでいる。
【００５３】
突出部本体１６１は、扁平な略角柱形状とされて上下方向に延びている。突出部本体１６１の下側が根元部である。突出部本体１６１の根元部は、第２当接部１２０に近い位置にある。突出部本体１６１の上側が先端部である。突出部本体１６１の先端部は、第２当接部１２０から遠い位置にある。図９等に示すように、突出部本体１６１は、収容部１５０の前側の内壁面１５０Ａよりも若干前側に位置している。
【００５４】
図８及び図９等に示すように、弾性変形部１６３は、枠体８Ｗのうち、収容部１５０の前側の内壁面１５０Ａを形成する部位と、突出部本体１６１の根元部とを接続している。左右方向から見て、弾性変形部１６３は、略Ｕ字形状に湾曲している。弾性変形部１６３は、その湾曲の曲率が変化するように弾性変形可能となっている。
【００５５】
図５、図６、図８及び図９等に示すように、凸部１６５は、突出部本体１６１の先端部から、支持部１０１に接近するように後側に突出している。凸部１６５の後端１６５Ｅは、第２当接部１２０に接近するように下側に屈曲している。凸部１６５の後端１６５Ｅは、本発明の「突出部の第２当接部側を向く先端」の一例である。図９（ａ）に示すように、弾性変形部１６３が弾性変形していない状態では、凸部１６５の後端１６５Ｅは、収容部１５０の前側の内壁面１５０Ａよりも後側に突出している。図９（ｂ）、図９（ｃ）及び図１０（ａ）に示すように、湾曲の曲率が小さくなるように弾性変形部１６３が弾性変形すると、凸部１６５の後端１６５Ｅは、収容部１５０の前側の内壁面１５０Ａに接近するように前側に変位する。
【００５６】
図６、図８及び図９等に示すように、リブ１６７は、突出部本体１６１から、支持部１０１に接近するように後側に突出し、かつ上下方向に延びている。リブ１６７の上端は、凸部１６５に接続している。リブ１６７は、下向きに先細る略三角形状とされている。
【００５７】
図７〜図９等に示すように、第１当接部１１０Ｌ、１１０Ｒと第２当接部１２０とは、支持部１０１に一体成形されている。
【００５８】
より詳しくは、支持部１０１の前側を向く面は、対向面１０１Ａとされている。対向面１０１Ａは、上下方向及び左右方向に延在する平面である。対向面１０１Ａは、後側から収容部１５０の前側の内壁面１５０Ａに対向している。支持部１０１には、左右一対の側壁１０１Ｌ、１０１Ｒが形成されている。各側壁１０１Ｌ、１０１Ｒは、対向面１０１Ａを左右方向において挟んでいる。各側壁１０１Ｌ、１０１Ｒは、対向面１０１Ａよりも下側に突出している。
【００５９】
第１当接部１１０Ｌ、１１０Ｒは、対向面１０１Ａに形成された左右一対の壁である。左側の壁である第１当接部１１０Ｌは、左側の側壁１０１Ｌに右側から隣接している。右側の壁である第１当接部１１０Ｒは、右側の側壁１０１Ｒに左側から隣接している。第１当接部１１０Ｌと第１当接部１１０Ｒとは、左右方向に所定の間隔を有している。第１当接部１１０Ｌと第１当接部１１０Ｒとは、互いに平行に、上下方向に延びている。第１当接部１１０Ｌと第１当接部１１０Ｒとは、同一形状であって設置位置が異なるだけである。第１当接部１１０Ｌ、１１０Ｒの前端１１０Ｅは、本発明の「第１当接部の突出部側を向く先端」の一例である。
【００６０】
第２当接部１２０は、左側の側壁１０１Ｌの下端と、右側の側壁１０１Ｒの下端とを接続する底壁である。図７、図８、図１１及び図１２に示すように、第２当接部１２０には、凹部１２５が形成されている。凹部１２５は、リブ１６７から離間するように後側に凹んでいる。凹部１２５は、左右一対の内壁面１２６Ｌ、１２６Ｒを有している。左側の内壁面１２６Ｌと右側の内壁面１２６Ｒとは、左右方向に所定の間隔を有して対向している。第２当接部１２０の前端１２０Ｅは、突出部１６０に接近するように上側に屈曲している。第２当接部１２０の前端１２０Ｅは、本発明の「第２当接部の突出部側を向く先端」の一例である。
【００６１】
第１当接部１１０Ｌ、１１０Ｒは、それぞれ第１傾斜面１１１と第２傾斜面１１２とを含んでいる。第１当接部１１０Ｌ、１１０Ｒは、左右方向から見て、前側に突出する略三角形状とされ、その三角形状の上側の斜面が第１傾斜面１１１とされ、その三角形状の下側の斜面が第２傾斜面１１２とされている。つまり、第２傾斜面１１２は、第１傾斜面１１１に下側で連続している。
【００６２】
第１傾斜面１１１は、第２当接部１２０に接近するように下側に向かうにつれて、突出部１６０に接近するように前側に傾斜している。第２傾斜面１１２は、第２当接部１２０に接近するように下側に向かうにつれて、突出部１６０から離間するように後側に傾斜している。図１０（ｂ）に示すように、上下方向に対する第２傾斜面１１２の第２傾斜角度α２は、上下方向に対する第１傾斜面１１１の第１傾斜角度α１よりも小さく設定されている。第１傾斜角度α１は、対向面１０１Ａに対する第１傾斜面１１１の傾斜角度でもある。第２傾斜角度α２は、対向面１０１Ａに対する第２傾斜面１１２の傾斜角度でもある。
【００６３】
図８及び図９（ａ）に示すように、支持部１０１が初期位置にある状態では、突出部１６０の凸部１６５の後端１６５Ｅは、第１傾斜面１１１に対して上側に離間している。図１２に示すように、第１傾斜面１１１は、支持部１０１が初期位置にある状態で、上下方向から見て、突出部１６０の凸部１６５と重なっている。第１当接部１１０Ｌ、１１０Ｒは、支持部１０１が図８及び図９（ａ）に示す初期位置から図９（ｂ）に示す第１位置に移動することにより、突出部１６０に当接可能となっている。
【００６４】
支持部１０１が図９（ｂ）に示す第１位置からさらに上側に移動する際、突出部１６０の凸部１６５の後端１６５Ｅは、傾斜する第１傾斜面１１１によって上向き、かつ前向きに付勢される。このため、図９（ｃ）に示すように、弾性変形部１６３が弾性変形し、突出部１６０の凸部１６５が第１当接部１１０Ｌ、１１０Ｒから前側に離間するように変位して、第１傾斜面１１１の通過を許容する。この際、凸部１６５の後端１６５Ｅが第１傾斜面１１１に摺接することにより、支持部１０１に抵抗が作用する。
【００６５】
支持部１０１が図９（ｃ）に示す位置からさらに上側に移動する際、弾性変形部１６３の復元力により、突出部１６０の凸部１６５が第１当接部１１０Ｌ、１１０Ｒに接近するように後側に変位する。この際、凸部１６５の後端１６５Ｅが第２傾斜面１１２に摺接することにより、支持部１０１に抵抗が作用する。
【００６６】
図１０（ｂ）及び図１１に示すように、第２傾斜面１１２の下端部１１２Ｄは、支持部１０１が第２位置にある状態で、突出部１６０の近傍に位置している。つまり、支持部１０１が第２位置に移動する直前まで、凸部１６５の後端１６５Ｅが第２傾斜面１１２に摺接し、支持部１０１に抵抗が継続的に作用する。
【００６７】
図１２に示すように、上下方向から見て、第２当接部１２０の前端１２０Ｅは、第１当接部１１０Ｌ、１１０Ｒの前端１１０Ｅよりも、突出部１６０に接近している。第２当接部１２０は、支持部１０１が初期位置にある状態で、上下方向から見て、突出部１６０の凸部１６５と重なっている。第２当接部１２０は、支持部１０１が図１０（ｂ）及び図１１に示す第２位置に移動することにより、突出部１６０の凸部１６５に当接可能となっている。この際、第２当接部１２０の上側に屈曲する前端１２０Ｅと、突出部１６０の凸部１６５の下側に屈曲する後端１６５Ｅとが係合する。これにより、支持部１０１が第２位置からさらに上側に移動することが規制される。
【００６８】
図８、図９（ａ）及び図９（ｂ）に示すように、リブ１６７は、支持部１０１が初期位置及び第１位置にある状態で、左側の壁である第１当接部１１０Ｌと、右側の壁である第１当接部１１０Ｒとによって左右方向から挟まれる部分１６７Ｍを含んでいる。
【００６９】
図１０（ｂ）及び図１１に示すように、リブ１６７は、支持部１０１が第２位置にある状態で、凹部１２５における左側の内壁面１２６Ｌと、右側の内壁面１２６Ｒとによって左右方向から挟まれる部分１６７Ｎを含んでいる。
【００７０】
＜作用効果＞
実施例の画像読取装置１では、厚い書籍等である原稿が原稿支持面８１Ａに支持された状態で、開閉部９が閉鎖位置に移動することにより、ヒンジ１００の支持部１０１が揺動軸心Ｘ９とともに収容部１５０内で、図８及び図９（ａ）に示す初期位置から、図１０（ｂ）及び図１１に示す第２位置までの間で、上下方向に移動する。これにより、開閉部９は、厚い原稿を好適に覆うことができる。
【００７１】
この画像読取装置１では、開閉部９が勢いよく開閉操作されることによって、ヒンジ１００の支持部１０１が収容部１５０内で急激に上側に移動する場合がある。また、この画像読取装置１では、図１及び図１３に示すように、開閉部９が開放される際、揺動軸心Ｘ９を原稿支持面８１Ａに対して傾斜させようとする偏った力Ｆ１が作用する場合がある。
【００７２】
図１３は、偏った力Ｆ１に対する対策がなされていない比較例の画像読取装置を示している。比較例の画像読取装置では、ヒンジ１００の支持部１０１に第１当接部１１０Ｌ、１１０Ｒが設けられていない。比較例の画像読取装置のその他の構成は、実施例の画像読取装置と同様である。
【００７３】
比較例の画像読取装置では、偏った力Ｆ１によって、開放される途中の開閉部９の揺動軸心Ｘ９が原稿支持面８１Ａに対して傾斜し易い。特に、搬送部４は、開閉部９の左側部分に偏って配置されている。このため、搬送部４の重量は、左側のヒンジ１００の支持部１０１によって主に支持され、右側のヒンジ１００の支持部１０１によって補助的に支持される。このため、偏った力Ｆ１が開閉部９の右側部分に作用すると、右側のヒンジ１００の支持部１０１は、左側のヒンジ１００の支持部１０１と比較して、収容部１５０内で上側に移動し易いので、揺動軸心Ｘ９が原稿支持面８１Ａに対して傾斜し、左右のヒンジ１００の支持部１０１が収容部１５０内においてこじられてしまう不具合が生じ易い。
【００７４】
これに対して、実施例の画像読取装置１では、ヒンジ１００の支持部１０１が図８及び図９（ａ）に示す初期位置から図９（ｂ）に示す第１位置に移動すると、第１当接部１１０Ｌ、１１０Ｒの第１傾斜面１１１が突出部１６０の凸部１６５の後端１６５Ｅに当接する。このため、支持部１０１に抵抗が作用するので、支持部１０１を上側に移動させる際の勢いや、支持部１０１が収容部１５０内においてこじられる程度が抑制される。例えば、図１及び図１３に示す偏った力Ｆ１が開閉部９に作用しても、一方のヒンジ１００の支持部１０１だけが図９（ｂ）に示す第１位置よりも上側に移動する事態が発生し難い。このため、この画像読取装置１では、偏った力Ｆ１が開閉部９に作用しても、開閉部９を良好に開放位置に変位させることができる。
【００７５】
そして、ヒンジ１００の支持部１０１が図９（ｂ）に示す第１位置からさらに図１０（ｂ）及び図１１に示す第２位置まで移動すると、第２当接部１２０が突出部１６０に当接し、支持部１０１に再度抵抗が作用する。
【００７６】
この際、図１２に示すように、第２当接部１２０の前端１２０Ｅは、第１当接部１１０Ｌ、１１０Ｒの前端１１０Ｅよりも、突出部１６０の凸部１６５に接近している。このため、第２当接部１２０が突出部１６０に確実に当接する。また、図１０（ｂ）及び図１１に示すように、第２当接部１２０と突出部１６０の凸部１６５とが前後方向において離間しそうになっても、第２当接部１２０の上側に屈曲する前端１２０Ｅと、突出部１６０の凸部１６５の下側に屈曲する後端１６５Ｅとが係合することによって、双方の離間を抑制できる。このため、この画像読取装置１では、ヒンジ１００の支持部１０１が図１０（ｂ）及び図１１に示す第２位置からさらに上側に移動し過ぎて、収容部１５０から抜け出すことが確実に抑制される。
【００７７】
第２当接部１２０が突出部１６０に当接する際の衝撃は、それより先に第１当接部１１０Ｌ、１１０Ｒが突出部１６０の凸部１６５の後端１６５Ｅに当接及び摺接することで、緩和される。
【００７８】
より詳しくは、図１２に示すように、第１当接部１１０Ｌ、１１０Ｒの第１傾斜面１１１は、ヒンジ１００の支持部１０１が初期位置にある状態で、上下方向から見て突出部１６０の凸部１６５と重なっている。このため、支持部１０１が図８及び図９（ａ）に示す初期位置から図９（ｂ）に示す第１位置に移動すると、第１傾斜面１１１が突出部１６０に確実に当接し、支持部１０１に抵抗が確実に作用する。
【００７９】
そして、ヒンジ１００の支持部１０１が図９（ｂ）に示す第１位置から、図９（ｃ）及び図１０（ａ）に示す位置を通過し、図１０（ｂ）及び図１１に示す第２位置に向けて移動する際、突出部１６０の弾性変形部１６３が突出部１６０の凸部１６５を前側に変位させるように弾性変形する。凸部１６５の後端１６５Ｅが第１当接部１１０Ｌ、１１０Ｒの第１傾斜面１１１及び第２傾斜面１１２に摺接し、支持部１０１の移動を許容する。
【００８０】
このように、支持部１０１に適度な抵抗が継続的に作用するので、第２当接部１２０が突出部１６０に当接する際の衝撃が緩和される。
【００８１】
その結果、この画像読取装置１では、突出部１６０又は第２当接部１２０に作用する衝撃や負荷を小さくできるので、突出部１６０又は第２当接部１２０が破損し難い。第１当接部１１０Ｌ、１１０Ｒも壁であるので破損し難い。
【００８２】
したがって、実施例の画像読取装置１では、ヒンジ１００周辺の耐久性を維持できる。
【００８３】
また、この画像読取装置１では、収容部１５０に後側から対向する対向面１０１Ａに、第１当接部１１０Ｌ、１１０Ｒが形成されることで、突出部１６０の凸部１６５に対して第１当接部１１０Ｌ、１１０Ｒの第１傾斜面１１１及び第２傾斜面１１２を精度よく配置できる。
【００８４】
さらに、この画像読取装置１では、ヒンジ１００の支持部１０１が図１０（ｂ）及び図１１に示す第２位置から図８及び図９（ａ）に示す初期位置に復帰する際、突出部１６０の凸部１６５の後端１６５Ｅが第２傾斜面１１２に弾性変形しつつ摺接し、さらに第１傾斜面１１１に弾性変形しつつ摺接する。つまり、支持部１０１を下側に移動させる際、突出部１６０の凸部１６５が支持部１０１の第１傾斜面１１１及び第２傾斜面１１２によって案内される。このため、この画像読取装置１では、支持部１０１をスムーズに初期位置に復帰させることができる。
【００８５】
また、この画像読取装置１では、上下方向に対する第２傾斜面１１２の第２傾斜角度α２は、上下方向に対する第１傾斜面１１１の第１傾斜角度α１よりも小さく設定されている。これにより、この画像読取装置１では、突出部１６０の凸部１６５の後端１６５Ｅが第２傾斜面１１２に摺接する際に支持部１０１に作用する抵抗を緩やかに変化させることができる。
【００８６】
さらに、この画像読取装置１では、第２傾斜面１１２の下端部１１２Ｄは、支持部１０１が図１０（ｂ）及び図１１に示す第２位置にある状態で、突出部１６０の近傍に位置している。このため、この画像読取装置１では、第２当接部１２０が突出部１６０の凸部１６５に当接する直前まで、支持部１０１に適度な抵抗を継続的に作用させることができる。
【００８７】
また、この画像読取装置１では、図８及ぶ図９等に示すように、突出部本体１６１から突出して凸部１６５に接続するリブ１６７によって、凸部１６５と突出部本体１６１との接続部分が補強されるので、凸部１６５と突出部本体１６１との接続部分が破損し難い。
【００８８】
さらに、この画像読取装置１では、図８、図９（ａ）及び図９（ｂ）に示すように、支持部１０１が初期位置及び第１位置にある状態で、左側の壁である第１当接部１１０Ｌと、右側の壁である第１当接部１１０Ｒとによって、リブ１６７の一部分１６７Ｍが左右方向から挟まれる。また、図１０（ｂ）及び図１１に示すように、支持部１０１が第２位置にある状態で、一対の内壁面１２６Ｌ、１２６Ｒによって、リブ１６７の他の一部分１６７Ｎが左右方向から挟まれる。このようなリブ１６７、第１当接部１１０Ｌ、１１０Ｒ及び一対の内壁面１２６Ｌ、１２６Ｒによって、この画像読取装置１では、開閉部９の左右方向の位置ずれを抑制できる。
【００８９】
以上において、本発明を実施例に即して説明したが、本発明は上記実施例に制限されるものではなく、その趣旨を逸脱しない範囲で適宜変更して適用できることはいうまでもない。
【００９０】
実施例では、突出部１６０が収容部１５０に設けられ、第１当接部１１０Ｌ、１１０Ｒ及び第２当接部１２０がヒンジ１００の支持部１０１に設けられているが、この構成には限定されない。例えば、第１当接部及び第２当接部が収容部に設けられ、突出部がヒンジの支持部に設けられていてもよい。
【産業上の利用可能性】
【００９１】
本発明は画像読取装置、複合機等に利用可能である。
【符号の説明】
【００９２】
１…画像読取装置、８…本体部、９…開閉部、Ｘ９…揺動軸心
８１Ａ…原稿支持面、３Ｓ…読取部（読取センサ）
１５０…収容部、１６０…突出部
１００…ヒンジ、１０５…取付部、１０１…支持部
１１０Ｌ、１１０Ｒ…第１当接部（一対の壁）、１２０…第２当接部
１０１Ａ…対向面、１１１…第１傾斜面、１１２…第２傾斜面
α１…第１傾斜角度、α２…第２傾斜角度
１１２Ｄ…第２傾斜面における第１傾斜面とは反対側の端部（下端部）
１６１…突出部本体、１６３…弾性変形部、１６５…凸部、１６７…リブ
１６７Ｍ…一対の壁によって第２方向から挟まれる部分
１２５…凹部、１２６Ｌ、１２６Ｒ…一対の内壁面
１６７Ｎ…一対の内壁面によって第２方向から挟まれる部分
１２０Ｅ…第２当接部の突出部側を向く先端（前端）
１１０Ｅ…第１当接部の突出部側を向く先端（前端）
１６５Ｅ…突出部の第２当接部側を向く先端（凸部の後端）
【図１】
2015216509.tif 000003
【図２】
2015216509.tif 000004
【図３】
2015216509.tif 000005
【図４】
2015216509.tif 000006
【図５】
2015216509.tif 000007
【図６】
2015216509.tif 000008
【図７】
2015216509.tif 000009
【図８】
2015216509.tif 000010
【図９】
2015216509.tif 000011
【図１０】
2015216509.tif 000012
【図１１】
2015216509.tif 000013
【図１２】
2015216509.tif 000014
【図１３】
2015216509.tif 000015